(57)【要約】      （修正有）【課題】眼鏡の荷重を適切に分散させる眼鏡を提供する。【解決手段】眼鏡１であって、レンズを有するフロント部１１１と、フロント部１１１の両端から略垂直に延伸する一組の腕部１１２と、各腕部１１２と連結する一組の眼鏡支持部材１００とを有し、眼鏡支持部材１００は、頬骨弓に係止するよう側頭部に当接する頬骨弓当接部１０１と、頭頂骨の外側位置に当接して眼鏡１を上から支持する頭頂骨支持部１０２と、を有する。【選択図】図１
2020034939.tif 000002
【特許請求の範囲】
【請求項１】
眼鏡であって、
レンズを有するフロント部と、
前記フロント部の両端から略垂直に延伸する一組の腕部と、
前記各腕部と連結する一組の眼鏡支持部材とを有し、
前記眼鏡支持部材は、
頬骨弓に係止するよう側頭部に当接する頬骨弓当接部と、
頭頂骨の外側位置に当接して前記眼鏡を上から支持する頭頂骨支持部と、を有することを特徴とする眼鏡。
【請求項２】
請求項１に記載の眼鏡であって、
前記一組の眼鏡支持部材は、各々一端に前記頬骨弓当接部を有し、他端に前記頭頂骨支持部を有する筋状の部材からなり、前記腕部の下方から上方に、かつ頭部の前方から後方に向かって、斜めに延伸することを特徴とする眼鏡。
【請求項３】
請求項２に記載の眼鏡であって、
前記一組の眼鏡支持部材は、各々の前記頭頂骨支持部で互いに連結していることを特徴とする眼鏡。
【請求項４】
請求項１から３のいずれか一項に記載の眼鏡であって、
前記腕部と前記眼鏡支持部材とを連結する連結部材を有し、
前記連結部材は複数の嵌合部分を有し、前記嵌合部分のいずれかと前記腕部とが着脱自在に嵌合することを特徴とする眼鏡。
【請求項５】
請求項１から３のいずれか一項に記載の眼鏡であって、
前記腕部と前記眼鏡支持部材とを連結する連結部材を有し、
前記連結部材は前記眼鏡支持部材に対して回動可能に設けられることを特徴とする眼鏡。
【請求項６】
請求項４又は５に記載の眼鏡であって、
前記眼鏡支持部材は、前記連結部材よりも幅方向に突出した凸部を、前記連結部材の上側に有することを特徴とする眼鏡。
【請求項７】
請求項４又は５に記載の眼鏡であって、
前記眼鏡支持部材は、前記連結部材の外面の少なくとも一部を覆う覆い部を有することを特徴とする眼鏡。
【請求項８】
請求項４から７のいずれか一項に記載の眼鏡であって、
前記腕部は、前記連結部材に設けられた嵌合部分に嵌合する着脱自在な部材を有することを特徴とする眼鏡。
【請求項９】
請求項１から８のいずれか一項に記載の眼鏡であって、
前記眼鏡支持部材は、前記頬骨弓当接部と反対側の面に鉤状部材を有することを特徴とする眼鏡。
【請求項１０】
眼鏡の腕部と連結する眼鏡支持部材であって、
頬骨弓に係止するよう側頭部に当接する頬骨弓当接部と、
頭頂骨の外側位置に当接して前記眼鏡を上から支持する頭頂骨支持部と、を有することを特徴とする眼鏡支持部材。
【請求項１１】
請求項１から９のいずれか一項に記載の眼鏡であって、
前記腕部は、長手方向に延伸するスリット又は長手方向に連続配置された複数の貫通孔を有し、
前記眼鏡支持部材は、前記スリット又は前記貫通孔に貫通する固定部材により、前記腕部の長手方向の任意の位置に固定されることを特徴とする眼鏡。
【請求項１２】
請求項１１に記載の眼鏡であって、
前記眼鏡支持部材は、幅方向に突出した複数の当接部材を内側に有することを特徴とする眼鏡。
【請求項１３】
請求項１２に記載の眼鏡であって、
前記当接部材は、前記眼鏡支持部材の長手方向に連続配置された複数の突起を有することを特徴とする眼鏡。
【請求項１４】
請求項１２又は１３に記載の眼鏡であって、
前記当接部材は、前記眼鏡支持部材の内側への前記固定部材の突出高さよりも幅方向に突出していることを特徴とする眼鏡。
【請求項１５】
請求項１から９及び１１から１４の、いずれか一項に記載の眼鏡であって、
前記眼鏡支持部材は、内部に空洞が設けられ、
前記空洞は、前記眼鏡支持部材の外側面に開口する１又は複数の開口部を有することを特徴とする眼鏡。
【請求項１６】
請求項１から９及び１１から１５の、いずれか一項に記載の眼鏡であって、
前記眼鏡支持部材は、１又は複数の装飾部材を有し、
前記装飾部材は、少なくとも一部に、頭部に沿うよう湾曲した形状を有することを特徴とする眼鏡。
【発明の詳細な説明】
【技術分野】
【０００１】
本発明は、眼鏡、及び眼鏡支持部材に関する。
【背景技術】
【０００２】
特許文献１には、鼻パッド無し眼鏡であって、「フロント部と該フロント部に取り付けられたテンプル本体部とを備えた鼻パッド無し眼鏡において、該テンプル本体部に補助テンプル片が取り付けられており、テンプル本体部と補助テンプル片とにより頬骨と後頭部と耳部に支持される」鼻パッド無し眼鏡が開示されている。
【先行技術文献】
【特許文献】
【０００３】
【特許文献１】特開２０１５−３８６０８号公報
【発明の概要】
【発明が解決しようとする課題】
【０００４】
一般的な眼鏡は、鼻パッド及びモダンに荷重することで、レンズ部分が眼前に支持される。鼻パッドからの過度な荷重により、鼻上部の皮膚に負担がかかる。
【０００５】
特許文献１に記載された技術では、鼻パッドがない代わりに、テンプルに補助テンプル片を設置することで眼鏡を支持する。しかしながら、補助テンプル片の一端が目のすぐ脇に位置し、眼鏡をかけた際の外観が好ましくない。また、テンプル本体部の弾性屈曲により回動開閉が行われるため、頭部を両側面から挟持する形で眼鏡が支持されることとなり、弾性が強い場合は頭痛の原因となる。また、弾性が強くない場合であっても、目の脇の補助テンプル片の一端から荷重がかかり、当該箇所の皮膚に負担を生じる。
【０００６】
本発明は、上記の点に鑑みてなされたものであって、眼鏡の荷重を適切に分散させることを目的とする。
【課題を解決するための手段】
【０００７】
そこで上記課題を解決するため、本発明の一態様に係る眼鏡は、レンズを有するフロント部と、前記フロント部の両端から略垂直に延伸する一組の腕部と、前記各腕部と連結する一組の眼鏡支持部材とを有し、前記眼鏡支持部材は、頬骨弓に係止するよう側頭部に当接する頬骨弓当接部と、頭頂骨の外側位置に当接して前記眼鏡を上から支持する頭頂骨支持部と、を有することを特徴とする。
【０００８】
前記一組の眼鏡支持部材は、各々一端に前記頬骨弓当接部を有し、他端に前記頭頂骨支持部を有する筋状の部材からなり、前記腕部の下方から上方に、かつ頭部の前方から後方に向かって、斜めに延伸することを特徴としてもよい。
【０００９】
上記いずれかの眼鏡において、前記一組の眼鏡支持部材は、各々の前記頭頂骨支持部で互いに連結していることを特徴としてもよい。
【００１０】
上記いずれかの眼鏡は、前記腕部と前記眼鏡支持部材とを連結する連結部材を有し、前記連結部材は複数の嵌合部分を有し、前記嵌合部分のいずれかと前記腕部とが着脱自在に嵌合することを特徴としてもよい。
【００１１】
上記いずれかの眼鏡は、前記腕部と前記眼鏡支持部材とを連結する連結部材を有し、前記連結部材は前記眼鏡支持部材に対して回動可能に設けられることを特徴としてもよい。
【００１２】
上記いずれかの眼鏡において、前記眼鏡支持部材は、前記連結部材よりも幅方向に突出した凸部を、前記連結部材の上側に有することを特徴としてもよい。
【００１３】
上記いずれかの眼鏡において、前記眼鏡支持部材は、前記連結部材の外面の少なくとも一部を覆う覆い部を有することを特徴としてもよい。
【００１４】
上記いずれかの眼鏡において、前記腕部は、前記嵌合部分に嵌合する着脱自在な部材を有することを特徴としてもよい。
【００１５】
上記いずれかの眼鏡において、前記眼鏡支持部材は、前記頬骨弓当接部と反対側の面に鉤状部材を有することを特徴としてもよい。
【００１６】
上記いずれかの眼鏡において、前記腕部は、長手方向に延伸するスリット又は長手方向に連続する複数の貫通孔を有し、前記眼鏡支持部材は、前記スリット又は前記貫通孔に貫通する固定部材により、前記腕部の長手方向の任意の位置に固定されることを特徴としてもよい。
【００１７】
上記いずれかの眼鏡において、前記眼鏡支持部材は、前記スリット又は前記貫通孔に貫通する固定部材により、前記腕部の長手方向の任意の位置に固定されることを特徴としてもよい。
【００１８】
上記いずれかの眼鏡において、前記当接部材は、前記眼鏡支持部材の長手方向に連続配置された複数の突起を有することを特徴としてもよい。
【００１９】
上記いずれかの眼鏡において、前記当接部材は、前記眼鏡支持部材の内側への前記固定部材の突出高さよりも幅方向に突出していることを特徴としてもよい。
【００２０】
本発明の他の態様に係る眼鏡支持部材は、眼鏡の腕部と連結する眼鏡支持部材であって、頬骨弓に係止するよう側頭部に当接する頬骨弓当接部と、頭頂骨の外側位置に当接して前記眼鏡を上から支持する頭頂骨支持部と、を有することを特徴とする。
【発明の効果】
【００２１】
本発明によれば、眼鏡の荷重を適切に分散させることを目的とする。
【図面の簡単な説明】
【００２２】
【図１】第１の実施形態における眼鏡の外観の一例を示す図である。
【図２】眼鏡の斜視図の一例を示す図である。
【図３】頭部に装着した際の眼鏡の外観の一例を示す図である。
【図４】頭部に装着した際の眼鏡の外観の他の一例を示す図である。
【図５】第１の変形例における眼鏡支持部材の外観の一例を示す図である。
【図６】第２の変形例における眼鏡の斜視図の一例（その１）を示す図である。
【図７】第２の変形例における眼鏡の斜視図の一例（その２）を示す図である。
【図８】第２の実施形態における眼鏡を頭部に装着した際の外観の一例を示す図である。
【図９】第２の実施形態における眼鏡支持部材を詳細に説明するための図である。
【図１０】第２の実施形態における嵌合部分の一例を説明するための図である。
【図１１】第２の実施形態における眼鏡支持部材の変形例の一例を示す図（その１）である。
【図１２】第２の実施形態における眼鏡支持部材の変形例の一例を示す図（その２）である。
【図１３】第３、第４、第５の実施形態における眼鏡３の外観の一例を示す図である。
【図１４】従来の鼻パッドなし眼鏡の外観の一例を示す図（その１）である。
【図１５】従来の鼻パッドなし眼鏡の外観の一例を示す図（その２）である。
【図１６】第６の実施形態における眼鏡の斜視図の一例を示す図である。
【図１７】固定部材の一例を説明するための図である。
【図１８】第６の実施形態における眼鏡の一部の右側面図の一例を示す図である。
【図１９】第６の実施形態の第１の変形例における眼鏡の斜視図の一例を示す図である。
【図２０】第６の実施形態の第１の変形例における眼鏡の右側面図の一例を示す図である。
【図２１】第６の実施形態の第２の変形例における眼鏡の斜視図の一例を示す図である。
【図２２】第６の実施形態の第２の変形例における眼鏡支持部材４００を説明するための図である。
【図２３】第６の実施形態の第２の変形例における眼鏡支持部材の内部を説明するための図である。
【発明を実施するための形態】
【００２３】
以下、図面に基づいて本発明の実施の形態を説明する。
【００２４】
図１４は、従来の鼻パッドのない眼鏡８の外観の一例を示す図（その１）である。図１４（Ａ）は、装着された眼鏡８の右側面図であり、図１４（Ｂ）は装着された眼鏡８の平面図である。眼鏡８は、フロント部８１１と、腕部８１２と、を有する。フロント部８１１はレンズを保持する部分であって、腕部８１２はいわゆる「つる」である。
【００２５】
腕部８１２は、テンプル８１３と、モダン８１４とを有する。鼻パッドのある一般的な眼鏡は、テンプル８１３とモダン８１４とが一直線になるように接続され、モダン８１４の一端が下側にカーブした形状となっており、耳背面の湾曲に沿うよう形成されている。図１４に示す眼鏡８のモダン８１４は、テンプル８１３との取付け部分ｅの後方のみならず前方にも延びた形状となっている。
【００２６】
モダン８１４は、上から見た際に、左右とも頭部に沿って湾曲した形状をしており、頭部側面に密着するよう形成されている。側面から見ると、モダン８１４は、テンプル８１３との取付け部分ｅの前方、及び後方において、各々二股に分かれている。モダン８１４の前方は、頬骨体部に係止するよう、眼窩近傍に当接する。従って、モダン８１４の前方は髪の生え際を超えて顔の皮膚部分にまで延び、顔を正面から見た際にモダン８１４の前方が目視される。
【００２７】
また、モダン８１４の後方は側頭骨の後方に延伸している。従来鼻パッドにかかっていた荷重が、モダン８１４の前方及び後方に分散される。
【００２８】
本例において、眼鏡８は頭部が左右のモダン８１４に挟持されることにより支持されるため、顔の皮膚部分にあるモダン８１４の前方から荷重がかかり、当該皮膚部分に負担が生じる。また、顔を見た際に目視できる位置にモダン８１４の前方があるため、見た目にも支障を生じる。
【００２９】
また、使用者の頬骨体部がモダン８１４の前方を支持する形状をなしていない場合、又はモダン８１４が頭部を挟持する力が弱い場合には、眼鏡８が下方にずり落ちる。一方で、モダン８１４が頭部を挟持する力が強ければ、頭痛が生じる可能性がある。
【００３０】
図１５は、従来の鼻パッドのない眼鏡９の外観の一例を示す図（その２）である。図１５（Ａ）は、装着された眼鏡９の右側面図であり、図１５（Ｂ）は装着された眼鏡９の平面図である。眼鏡９は、フロント部９１１と、腕部９１２と、を有する。フロント部９１１はレンズを有する部分であって、腕部９１２は「つる」である。
【００３１】
腕部９１２は、テンプル９１３と、モダン９１４とを有する。図１５に示す眼鏡９のモダン９１４は、図１４に示すモダン８１４と同様に、テンプル９１３の取付け部分ｆの後方のみならず前方にも延びた形状となっている。なお、モダン９１４の前方及び後方とも、二股に分かれていない点において、眼鏡８と相違する。
【００３２】
モダン９１４の前方は、図１４のモダン８１４と同様に、頬骨体部に係止するよう眼窩近傍まで延伸し、顔を正面から見た際にモダン９１４の前方が目視される。また、モダン９１４の後方は側頭骨の後方に延伸しているため、眼鏡９は左右のモダン９１４により頭部を挟持することで、フロント部９１１を眼前に支持する。しかしながら、条件が整わない場合に眼鏡９が下方にずり落ちる可能性があることは図１４に示す眼鏡８と同様である。特に、眼鏡８又は眼鏡９の重心がフロント部８１１・９１１寄りにあれば、フロント部８１１・９１１を支持しきれずに下方に落ちる可能性が上がる。
【００３３】
＜第１の実施形態＞
【００３４】
図１は、第１の実施形態における眼鏡１の外観の一例を示す図である。図１（Ａ）は、眼鏡１の右側面図の一例であって、図１（Ｂ）は、眼鏡１の平面図の一例である。眼鏡１は、眼鏡支持部材１００と、眼鏡本体部１１０と、を有する。
【００３５】
眼鏡本体部１１０は、レンズを有するフロント部１１１と、フロント部１１１の両端から略垂直に延伸する一組の腕部１１２と、を有する。フロント部１１１には、１又は複数のレンズが備え付けられている。好ましくは、フロント部１１１は鼻パッドを有さない。
【００３６】
腕部１１２は、テンプル１１３と、モダン１１４とを有する。テンプル１１３は、金属や樹脂等により形成される。モダン１１４は、外耳の付け根の上部に当接する部材であって、シリコンやラバーなどの樹脂等で形成される。モダン１１４はテンプル１１３と一体であってもよく、テンプル１１３及びモダン１１４の素材は限定されない。
【００３７】
眼鏡支持部材１００は、各腕部１１２と連結する一組の部材であって、各々頬骨弓当接部１０１と、頭頂骨支持部１０２と、を有する。一例として、眼鏡支持部材１００は、一端に頬骨弓当接部１０１を有し、他端に頭頂骨支持部１０２を有する一対の筋状の部材よりなる。眼鏡支持部材１００は、頭部に装着した際に腕部１１２の下方から上方に向かって延伸し、かつ頭部の前方から後方に向かって延伸する。また、眼鏡支持部材１００は、頭部に沿うよう内側に湾曲する曲線形状である（図３参照）。
【００３８】
一例として、眼鏡支持部材１００は、一部又は全部が樹脂により形成される。しかしながら、眼鏡支持部材１００の素材はこれに限定されない。
【００３９】
頬骨弓当接部１０１は、眼鏡支持部材１００の内側（頭部に当接する側）に設けられており、側頭部に当接する。頬骨弓とは、眼窩の外側に略水平に延伸する骨である。頬骨弓当接部１０１は、頬骨弓に係止するよう側頭部に当接する。
【００４０】
頭頂骨支持部１０２は、眼鏡支持部材１００の内側に設けられ、頭頂骨の外側位置に当接して眼鏡１を上から支持する。一例として、頭頂骨支持部１０２は、装着した際に頭頂骨の外側に位置する頭の表面（頭皮及び頭髪を含む）に沿って密着するように広がる面を有しており、頭の表面に対して上から下に荷重がかかる。これにより、頭頂骨支持部１０２は眼鏡１を上から支持する。
【００４１】
眼鏡支持部材１００は、頬骨弓当接部１０１付近又は頬骨弓当接部１０１より上方において、モダン１１４又はテンプル１１３と連結されている。以下、眼鏡支持部材１００がモダン１１４と連結している例を用いて説明する。眼鏡支持部材１００とモダン１１４とは、回動自在又は着脱自在に連結されていてもよいし、着脱又は回動しないよう固定されていてもよい。眼鏡支持部材１００とモダン１１４とは、一体成型されていてもよい。
【００４２】
図２は、眼鏡１の斜視図の一例を示す図である。一対の眼鏡支持部材１００は、左右対称の形状である。本例における眼鏡支持部材１００は、モダン１１４よりも内側に位置する。図２において、眼鏡支持部材１００とモダン１１４とは小さなビスで連結しているが、眼鏡支持部材１００とモダン１１４との連結方法はこれに限定されない。
【００４３】
眼鏡支持部材１００は、内側面に滑り止めの機能のある複数の溝を有する形状であってもよい。当該溝は、眼鏡支持部材１００の内側面全体に渡って設けられていてもよい。また、眼鏡支持部材１００の内側面の全部又は一部には、髪の毛に眼鏡支持部材１００を係止させるための櫛歯が設けられていてもよい。櫛歯は、眼鏡支持部材１００の内側面に立つように設けられていてもよい。また、櫛歯は、眼鏡支持部材１００の後側面又は前側面から、使用者の後方又は前方に向かって伸びるよう設けられていてもよい。
【００４４】
また、眼鏡支持部材１００は、横から見た場合に、図１（Ａ）に示すような直線形状でなくてもよく、前後に波打つ形状であってもよい。また、前後に鋸刃のような複数の角部を有する、ギザギザした形状であってもよい。また、眼鏡支持部材１００は、横から見た場合に細長い輪のような形状をしていてもよい。
【００４５】
直線形状である場合に比べて頭の表面との接触面積が増すことにより、眼鏡支持部材１００が頭の表面とずれることを防ぐことができる。また、形状の自由度が増すことにより、デザインに多様性が生まれ、デザイン性が向上する。
【００４６】
図３は、頭部に装着した際の眼鏡１の外観の一例を示す図である。図３（Ａ）は、頭部に装着した際の眼鏡１の右側面図の一例であって、図３（Ｂ）は、頭部に装着した際の眼鏡１の平面図の一例である。図３（Ｃ）は、眼鏡１を装着した人の左側に位置する眼鏡支持部材１００の有する頬骨弓当接部１０１を正面から見た図の一例である。図３（Ｃ）は、モダン１１４の断面のみを示しており、モダン１１４のその他の部分は図示を省略している。
【００４７】
図３（Ａ）に示すように、頬骨弓当接部１０１は、頬骨弓に係止するよう側頭部に当接する結果、一般的な髪の生え際よりも後側に位置する。また、眼鏡支持部材１００は、腕部１１２の下方から上方に、かつ頭部の前方から後方に向かって斜めに延伸する。また、図３（Ａ）及び図３（Ｃ）から明らかなように、本例における眼鏡支持部材１００は、モダン１１４よりも内側（頭部側）に位置している。本例における眼鏡支持部材１００は、外側面に前後が開口している凹部１１５を有し、凹部１１５にモダン１１４の一部分が嵌合することにより、眼鏡支持部材１００とモダン１１４とが連結している。
【００４８】
なお、本実施形態に係る眼鏡１は、頭頂骨まで延伸する眼鏡支持部材１００を有することにより、眼鏡支持部材１００を有さない眼鏡に比べて重心が後部に位置する。この構成により、レンズを有するために荷重のかかり易いフロント部１１１が適切に眼前に保持される。これは、眼鏡１が鼻パッドを有さない場合に特に有用である。
【００４９】
図４は、頭部に装着した際の眼鏡１の外観の他の一例を示す図である。図４（Ａ）は、頭部に装着した際の眼鏡１の他の一例における右側面図であって、図４（Ｂ）は、頭部に装着した際の眼鏡１の他の一例における平面図である。図４（Ｃ）は、眼鏡１を装着した人の左側に位置する眼鏡支持部材１００の有する頬骨弓当接部１０１を正面から見た際の他の一例における図である。図４（Ｃ）は、図３（Ｃ）と同様に、モダン１１４の断面のみを示しており、モダン１１４のその他の部分は図示を省略している。
【００５０】
本例において、眼鏡支持部材１００は、内側面に凹部１１５を有し、凹部１１５にモダン１１４の一部分が嵌合することにより、眼鏡支持部材１００とモダン１１４とが連結している。モダン１１４と頭部とが適切な間隔を維持するために、眼鏡支持部材１００の有する頬骨弓当接部１０１は、図４（Ｃ）に示すよりも内側に膨らんだ形状をしていてもよい。
【００５１】
＜第１の変形例＞
【００５２】
図５は、第１の変形例における眼鏡支持部材１００の外観の一例を示す図である。図５（Ａ）は、第１の変形例における眼鏡１を装着した人の左側に位置する眼鏡支持部材１００を正面から見た図の一例である。図５（Ｂ）は、図５（Ａ）に示す眼鏡支持部材１００の使用状況を示す図である。以下、上述の実施形態と異なる点について説明する。なお、一対の眼鏡支持部材１００の各々は、特記しない限り、左右対称の形状である。また、ｘ軸は頭部の左右方向を示すものであり、ｙ軸は頭部の上下方向を示すものであり、ｚ方向は頭部の前後方向を示すものである。他の図においても同様である。
【００５３】
眼鏡支持部材１００は、貫通孔１０３を有しており、貫通孔１０３にはテンプル１１３又はモダン１１４が貫通する。図５に示す例では、貫通孔１０３にはモダン１１４が貫通する。貫通孔１０３は、その内周面に複数の凹部を有していてもよく、モダン１１４はその外周面に該凹部に各々嵌合する複数の凸部を有していてもよい。
【００５４】
貫通孔１０３の有する凹部と、モダン１１４の有する凸部とが嵌合することにより、モダン１１４を軸とする眼鏡支持部材１００の回転角度が定まる。即ち、図５（Ａ）又は図５（Ｂ）に示すｚ軸に平行な軸（即ちモダン１１４と一致する軸）をｐ軸とすると、眼鏡支持部材１００のｐ軸周りの回転角度が定まる。頭部に眼鏡１を装着した場合に、頭頂骨支持部１０２と頭部との密着性に欠ける場合など、装着性が好ましくない場合に、貫通孔１０３の有する他の凹部にモダン１１４の凸部を嵌合させることにより、眼鏡支持部材１００の回転角度を調節することができる。なお、貫通孔１０３が凸部を有し、モダン１１４が凹部を有していてもよい。
【００５５】
なお、モダン１１４を軸とする眼鏡支持部材１００の回転角度を固定することができれば、眼鏡１は本構造に限定されない。例えば、貫通孔１０３が、モダン１１４の有する凸部に引っ掛かる爪を内周面に有しており、一方向への回転（例えば、図５（Ａ）又は図５（Ｂ）に示す右回転）を阻止し、逆方向への回転を許容するよう係止する構造であってもよい。
【００５６】
＜第２の変形例＞
【００５７】
図６は、第２の変形例における眼鏡１の斜視図の一例（その１）を示す図である。本変形例では、一対の眼鏡支持部材１００は、各々の頭頂骨支持部１０２で互いに連結している。即ち、眼鏡支持部材１００は、一端に右側の側頭部に当接する頬骨弓当接部１０１を有し、他端に左側の側頭部に当接する頬骨弓当接部１０１を有する筋状の部材である。眼鏡支持部材１００は、中央付近に頭頂骨支持部１０２を有する。
【００５８】
図７は、第２の変形例における眼鏡１の斜視図の一例（その２）を示す図である。第２の変形例における眼鏡支持部材１００は、図７に示すように、内側面に１又は複数の突起１０４を有していてもよい。突起１０４と髪の毛とが接触することにより、眼鏡支持部材１００が頭頂骨の外側付近に係止しやすくなる。
【００５９】
なお、第２の変形例における眼鏡１の眼鏡支持部材１００も、横から見た場合に直線形状でなくてもよく、前後に波打った形状や、前後に鋸刃のような複数の角部を有する形状であってもよいことはいうまでもない。
【００６０】
＜第２の実施形態＞
【００６１】
図８は、第２の実施形態における眼鏡２を頭部に装着した際の外観の一例を示す図である。図８（Ａ）は、第２の実施形態における眼鏡２を頭部に装着した際の右側面図の一例であり、図８（Ｂ）は、第２の実施形態における眼鏡２を頭部に装着した際の平面図の一例である。以下、第１の実施形態と異なる点について説明する。
【００６２】
眼鏡２は、眼鏡支持部材２００と、眼鏡本体部２１０と、を有する。眼鏡本体部２１０は、フロント部２１１及び腕部２１２を有しており、腕部２１２はテンプル２１３及びモダン２１４を有する。眼鏡支持部材２００は、頬骨弓当接部２０１と、頭頂骨支持部２０２を有するほか、連結部材２０３を有する点が、第１の実施形態と異なる。
【００６３】
図８に示す例において、連結部材２０３は、眼鏡支持部材１００の外側に設けられている。なお、図８における連結部材２０３は、使用者の横側から見て楕円形状をしているが、連結部材の形状はこれに限定されない。円形であっても、多角形であってもよい。
【００６４】
図９は、第２の実施形態における眼鏡支持部材２００を詳細に説明するための図である。図９（Ａ）は、装着時に使用者の左側に位置する眼鏡支持部材２００及び腕部２１２を左側から見た図の一例であって、図９（Ｂ）は当該眼鏡支持部材２００の一部を正面から示した図である。
【００６５】
連結部材２０３は、複数の嵌合部分２０４を有しており、該嵌合部分２０４のいずれかと腕部２１２とが着脱自在に嵌合する。連結部材２０３は、眼鏡支持部材２００に対して回動可能に設けられる。図９（Ａ）及び図９（Ｂ）に示すｘ軸に平行な軸をｑ軸とすると、眼鏡支持部材２００は、連結部材２０３に対してｑ軸周りに回動可能である。即ち、眼鏡２を装着することにより腕部２１２が固定され、腕部２１２と嵌合する連結部材２０３も同様に固定されるが、眼鏡支持部材２００は連結部材２０３に対してｑ軸周りに回動可能となる。
【００６６】
連結部材２０３は、異なる高さの複数の嵌合部分２０４を有している。図９に示す連結部材２０３は、頬骨弓当接部２０１の外側に位置しており、外側に窪んだ３つの嵌合部分２０４を有している。嵌合部分２０４は、正面から見て略中央に他の部分よりも窪んだ凹部を有する。当該形状を嵌合部分２０４Ａとするが、嵌合部分２０４の形状については後述する。なお、図９に示す例において、嵌合部分２０４は連結部材２０３の外側面に設けられているが、嵌合部分２０４は連結部材２０３の内側面（頭部側の面）に設けられていてもよい。以下に示す変形例においても同様である。
【００６７】
また、第２の実施形態における眼鏡支持部材２００は、連結部材２０３よりも幅方向（使用者の左右方向、即ち図９（Ｂ）におけるｘ軸方向）に突出した凸部２０５を、連結部材２０３の上側に有する。凸部２０５は、眼鏡支持部材２００の本体部分と連結部材２０３との間に隙間がある場合に、隙間に髪の毛が入ることを防ぐ。また、凸部２０５は、嵌合部分２０４とモダン２１４との間に髪の毛が入ることを防ぐ。
【００６８】
図１０は、第２の実施形態における嵌合部分２０４Ａの一例を説明するための図である。図１０（Ａ）は、装着時に使用者の左側に位置する眼鏡支持部材２００の一部及び連結部材２０３の断面を正面から示した図である。嵌合部分２０４Ａは、ｚ方向に延伸し、その両端は開口している。また、嵌合部分２０４Ａは、凹部２０７Ａを有する。凹部２０７Ａは、連結部材２０３に対して窪んだ形状の嵌合部分２０４Ａの底面でさらに窪んだ部分である。一方で、モダン２１４は凸部２１５を有する。凸部２１５は凹部２０７Ａに嵌合し、連結部材２０３とモダン２１４との連結をより強固なものとする。
【００６９】
図１０（Ｂ）は、眼鏡本体部２１０の平面図の一例である。眼鏡本体部２１０のモダン２１４の有する凸部２１５は、凹部２０７Ａに嵌合するよう内側に突出し、かつ前後に延びている。なお、凸部２１５は、モダン２１４に対して着脱自在であってもよい。その場合、凸部２１５は例えばモダン２１４に対し着脱自在な樹脂製の筒に一体成型されていてもよい。
【００７０】
なお、上述したように、嵌合部分２０４Ａは、連結部材２０３の内側面に設けられていてもよい。その場合、眼鏡２の有する凸部２１５は、外側に突出する。
【００７１】
モダン２１４の内側面を、嵌合部分２０４Ａのｘ方向の開口部分の上下の縁部に当接させ、一定の力を加えることにより、モダン２１４が嵌合部分２０４Ａに嵌合し固定される。なお、嵌合部分２０４Ａの開口部分の高さ方向の寸法ｓは、嵌合部分２０４Ａの内部の高さ方向の寸法ｔ、及びモダンの高さ方向の寸法ｕより小さいことが望ましい。
【００７２】
モダン２１４は高さの異なる複数の嵌合部分２０４Ａの各々と嵌合可能であるため、嵌合の際に好ましい高さの嵌合部分２０４Ａを選んでモダン２１４を嵌合させることができる。また、嵌合部分２０４Ａはｚ方向に延伸しているため、必要に応じてモダン２１４（即ち腕部２１２）をずらして位置を調整することができる。
【００７３】
なお、連結部材２０３は、嵌合部分２０４を有するのではなく、図５に示すような１又は複数の貫通孔を有するものであってもよい。連結部材２０３の有する貫通孔は、図５に示すものと同様に、図５におけるｚ方向に延伸する。貫通孔に腕部２１２を貫通させることにより、図９に示すｑ軸周りの回転角度だけでなく、腕部２１２を軸とする回転角度の調節を行うことができる。
【００７４】
図１１は、第２の実施形態における眼鏡支持部材２００の変形例の一例を示す図（その１）である。
【００７５】
＜第１の変形例＞
【００７６】
図１１（Ａ）は、第２の実施形態における眼鏡支持部材２００の第１の変形例を示す図である。図１１（Ａ）は、装着時に使用者の左側に位置する眼鏡支持部材２００の一部を正面から示した図である。本変形例における眼鏡支持部材２００は、凸部２０５を有さない。
【００７７】
＜第２の変形例＞
【００７８】
図１１（Ｂ）は、第２の実施形態における眼鏡支持部材２００の第２の変形例を示す図である。図１１（Ｂ）は、装着時に使用者の左側に位置する第２の実施形態における眼鏡支持部材２００の一部を正面から示した図である。本変形例における眼鏡支持部材２００は、連結部材２０３の外面の少なくとも一部を覆う覆い部２０６を有する。
【００７９】
連結部材２０３と眼鏡支持部材２００の本体部分との隙間がある場合に、覆い部２０６により隙間が覆われ、隙間に髪の毛が入り込むことを防ぐことができる。また、嵌合部分２０４が覆われるため、嵌合部分に髪の毛等が入り込むことを防ぐだけでなく、見た目にもすっきりとした印象を与える。
【００８０】
図１２は、第２の実施形態における眼鏡支持部材２００の変形例の一例を示す図（その２）である。
【００８１】
＜第３の変形例＞
【００８２】
図１２（Ａ）は、第２の実施形態における眼鏡支持部材２００の第３の変形例を示す図である。第３の変形例における連結部材２０３は、嵌合部分２０４Ｂを有する。嵌合部分２０４Ｂは底面に凹部を有さない点で嵌合部分２０４Ａと異なる。嵌合部分２０４Ｂには、一般的な眼鏡２のモダン２１４が嵌合可能である。
【００８３】
＜第４の変形例＞
【００８４】
図１２（Ｂ）は、第２の実施形態における眼鏡支持部材２００の第４の変形例を示す図である。第４の変形例における連結部材２０３は、複数の穴状の嵌合部分２０４Ｃを有する。また、第４の変形例における眼鏡２は、アタッチメント２１６を腕部２１２に有する。一例として、アタッチメント２１６は、腕部２１２に対して着脱自在である。腕部２１２に対するアタッチメント２１６の設置方法は限定されない。アタッチメント２１６は、複数の凸部２１５Ｂを有する。
【００８５】
複数の凸部２１５Ｂの一部が、嵌合部分２０４Ｃに嵌合することにより、腕部２１２と連結部材２０３とが連結する。一例として、アタッチメント２１６及び凸部２１５Ｂは樹脂により一体成型され、樹脂により形成された連結部材２０３の嵌合部分２０４Ｃに嵌合する。また、嵌合部分２０４Ｃと凸部２１５Ｂとは、互いに係合するよう形成されている。一例として、凸部２１５Ｂは、付け根よりも先端の方が高さ方向の寸法が大きく、断面が略台形形状であって、嵌合部分２０４Ｃは該形状の凸部２１５Ｂに係合する形状である。
【００８６】
＜第３の実施形態＞
【００８７】
図１３は、第３、第４、第５の実施形態における眼鏡３の外観の一例を示す図である。図１３（Ａ）は、第３の実施形態における眼鏡３の右側面図の一例である。第３の実施形態における眼鏡３の眼鏡支持部材３００は、外側に凹部３２０を有する。凹部３２０は貫通孔であってもよい。
【００８８】
凹部３２０には、突起を有する付属品ｒを接続することができる。突起にはかえしが付いていてもよく、凹部３２０に嵌合することで付属品ｒを眼鏡支持部材３００に固定することができる。付属品ｒは、例えばアクセサリーであって、眼鏡支持部材３００を装飾することができる。
【００８９】
＜第４の実施形態＞
【００９０】
図１３（Ｂ）は、第４の実施形態における眼鏡３の使用例を示す図である。本図は、使用者から見て左側に位置する眼鏡支持部材３００の一部と眼鏡３とを示すものである。一組の眼鏡支持部材３００は、各々の頬骨弓当接部３０１の反対側の面に、上後方に向けて尖った鉤状部材３２１を有する。鉤状部材３２１は、図１３（Ｂ）に示すように、マスクのゴムを係止することができる。
【００９１】
従来のマスクは、２本のゴムを左右の耳にかけることで、布部分を鼻及び口に当てることができるが、ゴムの弾性力により耳が痛むことがある。第１の変形例における鉤状部材３２１にゴムをかけることにより、耳に負担をかけずにマスクを着用することができる。
【００９２】
＜第５の実施形態＞
図１３（Ｃ）は、第５の実施形態における眼鏡３の右側面図の一例である。第２の変形例における眼鏡支持部材３００は、一組の中空の筋状の部材であって、一部が開閉することにより、中空部分に内容物を入れることができる。
【００９３】
また、第２の変形例における眼鏡支持部材３００は、孔３２２と、かえし３２３と、管３２４とを有する。孔３２２は、眼鏡支持部材３００の外側の面に穿たれた穴であって、眼鏡支持部材３００の内部の空気を出し入れすることができる。かえし３２３は、眼鏡支持部材３００の内部に設けられ、内容物が下方向に落ちることを防止する。図１３（Ｃ）には、眼鏡支持部材３００の内部に入れられたドライアイスｄを、かえし３２３が保持する様子が示されている。
【００９４】
管３２４は、一端が眼鏡支持部材３００の中空部分に連結した中空の管である。管３２４の他端は、使用者の口元に届く位置まで延伸している。使用者は、管３２４の端をくわえることにより、管３２４及び眼鏡支持部材３００を経由して呼吸することができる。
【００９５】
眼鏡支持部材３００の内部にドライアイスｄを入れ、管３２４から空気を吹き込むと、ドライアイスｄから気化したＣＯ２が孔３２２から噴出する。見た目の面白さを演出したい場合に、特に有用である。
【００９６】
また例えば、眼鏡支持部材３００の内容物から出る気体を吸い込むこともできる。例えば刻みタバコを入れて吸引することもできる。また例えば、固体の薬品を入れることで、気化した薬品を吸引することができる。
【００９７】
＜第６の実施形態＞
【００９８】
図１６は、第６の実施形態における眼鏡４の斜視図の一例を示す図である。眼鏡４は、眼鏡支持部材４００と、眼鏡本体部４１０と、を有する。眼鏡本体部４１０は、フロント部４１１と、腕部４１２とを有している。図１６に示す腕部４１２は、モダンとテンプルとが一体となっているが、上述の他の実施形態と同様に、モダンとテンプルとが接続されて腕部４１２を形成してもよい。眼鏡支持部材４００が、頬骨弓当接部４０１と、頭頂骨支持部４０２とを有する点は、上述の他の実施形態と同様である。
【００９９】
第６の実施形態における腕部４１２は、固定部材４３１と、スリット４３２と、複数の当接部材４３３と、１又は複数の貫通孔４３４とを有する。スリット４３２は、腕部４１２の長手方向に延伸するよう設けられる。
【０１００】
眼鏡支持部材４００は、スリット４３２に貫通する固定部材４３１により、腕部４１２の長手方向の任意の位置に固定される。即ち、固定部材４３１による固定位置を変更することにより、眼鏡本体部４１０に対する眼鏡支持部材４００の前後方向（ｚ方向）の位置を調節することができる。
【０１０１】
また、固定部材４３１は、眼鏡支持部材４００の有する貫通孔４３４と、スリット４３２とを貫通することにより、眼鏡支持部材４００を腕部４１２に固定する。眼鏡支持部材４００が複数の貫通孔４３４を有する場合、固定部材４３１を異なる貫通孔４３４に貫通させて固定することにより、眼鏡本体部４１０に対する眼鏡支持部材４００の上下方向の位置を調節することができる。
【０１０２】
また、眼鏡支持部材４０３は、幅方向（図１６におけるｘ軸方向）に突出した複数の当接部材４３３を内側に有する。当接部材４３３は、固定部材４３１の幅方向（内側）の突出高さよりも突出しており、固定部材４３１が肌に接触することを防ぐ。本例において、内側にネジ頭を有する固定部材４３１により眼鏡支持部材４００を固定するが、ネジ頭が直接肌に触れないよう、ネジ頭（即ち貫通孔４３４）を挟んで両側に当接部材４３３が設けられることが望ましい。
【０１０３】
なお、図１６に示す当接部材４３３は、眼鏡支持部材４００の長手方向に沿って延伸する筋状の部材だが、当接部材４３３の形状はこれに限定されず、固定部材４３１が肌に触れるのを防ぐよう突出していればよい。例えば当接部材４３３は、貫通孔４３４の両側に連なる連続した複数の突起であってもよい。この場合、眼鏡支持部材４００の有する１又は複数の貫通孔４３４について、１つの貫通孔４３４を介して一対の突起が向かい合うよう当接部材４３３を構成してもよい。
【０１０４】
なお、眼鏡支持部材４０３は、当接部材４３３を設ける代わりに、ネジ頭を埋め込める深さの窪みを貫通孔４３４の周縁に設けてもよい。この場合、眼鏡支持部材４０３の内側面とネジ頭を構成する面とは、出来るだけ段差のない面一の状態となるよう窪みを設けることが望ましい。
【０１０５】
なお、腕部４１２は、スリット４３２に代えて、長手方向に連続して配置される複数の貫通孔を有していてもよい。異なる貫通孔に固定部材４３１を貫通させれば、スリット４３２を用いた場合と同様に、眼鏡支持部材４００を腕部４１２の長手方向の任意の位置に固定させることができる。
【０１０６】
また、眼鏡支持部材４００は、貫通孔４３４に代えて、スリット４３２を貫通する突起を有していてもよい。スリット４３２を貫通した突起に対し、スリット４３２の幅より大きい直径のナット状又はキャップ状の部材を用いて、眼鏡支持部材４００を腕部４１２に固定させることができる。
【０１０７】
なお、眼鏡支持部材４００は、図１６に示すように腕部４１２の内側に固定されてもよいし、腕部４１２の外側に固定されてもよい。
【０１０８】
図１７は、固定部材４３１の一例を説明するための図である。固定部材４３１は、ネジ４３５と、ワッシャー４３６・４３８と、カバーパーツ４３７と、ナット４３９と、を有する。カバーパーツ４３７は、腕部４１２の一部を覆う部材である。図１６及び図１７に示すように、眼鏡支持部材４００を腕部４１２の内側に固定する場合、ネジ４３５を眼鏡支持部材４００の内側からワッシャー４３６を介して貫通孔４３４、スリット４３２、カバーパーツ４３７の有する貫通孔、の順に貫通させる。カバーパーツ４３７の有する貫通孔を貫通したネジ４３５の先にワッシャー４３８を通し、ナット４３９を締めることにより、眼鏡支持部材４００が腕部４１２に固定される。
【０１０９】
図１８は、第６の実施形態における眼鏡４の一部の右側面図の一例を示す図である。本図は、ワッシャー４３８及びナット４３９の表記を省略している。スリット４３２が貫通しており、腕部４１２に対する眼鏡支持部材４００の前後方向（ｚ方向）の位置の調整が可能な構造となっている。
【０１１０】
なお、第６の実施形態における眼鏡４は、眼鏡支持部材４００と腕部４１２との接続部分近傍に重心が来ることが望ましい。フロント部４１１の近傍に重心のある眼鏡に比べ、眼鏡４を頭部に装着する場合のバランスが良く、眼鏡４を安定して頭部に支持することができる。
【０１１１】
＜第１の変形例＞
【０１１２】
図１９は、第６の実施形態の第１の変形例における眼鏡４の斜視図の一例を示す図である。本変形例における眼鏡支持部材４００は、内側に複数の当接部材４４０を有する。当接部材４４０は、眼鏡支持部材４００の長手方向に連続配置される複数の突起４４１を有する。
【０１１３】
当接部材４４０は、上述の当接部材４３３と同様に、固定部材４３１の突出高さよりも幅方向に突出しており、固定部材４３１が肌に触れるのを防ぐ。突起４４１は、眼鏡支持部材４００の長手方向に連続して配置されることにより、眼鏡支持部材４００及び頬骨弓当接部４０１の位置ずれを防ぐ。突起４４１は、例えば図１９に示すように、眼鏡４を正面から見た場合に半円形状をしており、こめかみ付近の皮膚及び髪の毛に係止することにより、眼鏡支持部材４００が上下方向及び前後方向にずれるのを防ぐ。
【０１１４】
図２０は、第６の実施形態の第１の変形例における眼鏡４の右側面図の一例を示す図である。本変形例におけるスリット４３２は、テンプル部分にまで延伸している点が、第６の実施形態（図１８参照）と異なる。なお、スリット４３２の長さは図１８及び図２０に示す例に限定されず、例えば腕部４１２のうち、フロント部４１１と反対側の端（図２０における右端）の近傍にまで延伸してもよい。
【０１１５】
＜第２の変形例＞
【０１１６】
図２１は、第６の実施形態の第２の変形例における眼鏡４の斜視図の一例を示す図である。本変形例における眼鏡支持部材４００は、開口部４２２と、装飾部材４６０とを有する。開口部４２２は、眼鏡支持部材４００の外側面に穿たれた１又は複数の穴であって、眼鏡支持部材４００の内部にある空洞と接続しており、空洞内の空気を出し入れすることができる。即ち、開口部４２２は、上述の第５の実施形態（図１３（Ｃ））の孔３２２と同様の機能を有する。
【０１１７】
また、本変形例における眼鏡支持部材４００は、１又は複数の装飾部材４６０を有する。装飾部材４６０は、少なくとも一部に、使用者の頭部に沿うよう湾曲した形状を有する。図２１に示す装飾部材４６０は、木の葉の形状をしており、主脈付近が頭部に沿うよう内側に湾曲している。
【０１１８】
なお、図２１に示す装飾部材４６０は、眼鏡支持部材４００の外側面に接続され、使用者の後方に向かって伸びるように設けられている。しかしながら、眼鏡支持部材４００に対する装飾部材４６０の接続位置はこれに限定されず、例えば眼鏡支持部材４００の後側面や前側面、又は内側面であってもよい。装飾部材４６０は、使用者の前方に向かって伸びるよう設けられていてもよい。
【０１１９】
図２２は、第６の実施形態の第２の変形例における眼鏡支持部材４００を説明するための図である。本図は、第６の実施形態の第２の変形例における眼鏡４の一部を右斜め後方から見た図の一例である。
【０１２０】
本図に示す装飾部材４６０は、適度な厚みを有し、眼鏡支持部材４００に食い込むように一体化している。この構成により、頭部との接触面を広くすることができ、摩擦が生じるため、眼鏡支持部材４００がずれるのを防ぐことができる。また、眼鏡４の荷重により、装飾部材４６０には外方向に向かう力が働くが、この構成により、装飾部材４６０の強度が増加する。
【０１２１】
なお、図１３（Ａ）に示す第３の実施形態における付属品ｒは、頭部に接触するよう構成することにより、本例における装飾部材４６０として機能してもよい。
【０１２２】
図２３は、第６の実施形態の第２の変形例における眼鏡支持部材４００の内部を説明するための図である。眼鏡支持部材４００は、内部に管状の空洞４５０を有する。空洞４５０は、眼鏡支持部材４００の外側面に開口する１又は複数の開口部４２２を有し、開口部４２２を介して内部の空気が換気される。
【０１２３】
図２３に示す眼鏡支持部材４００は、４つの開口部４２２を有しており、２つの開口部４２２は頬骨弓当接部４０１の近傍であって、眼鏡支持部材４００の下部近傍に設けられている。また、他の２つの開口部４２２は、眼鏡支持部材４００の頭頂部付近の外側面に設けられている。空洞４５０は略Ｕ字形状であって、開口部４２２の各々と接続している。例えば、第５の実施形態（図１３（Ｃ））と同様に、使用者の口元まで延伸する中空の管（図示せず）を眼鏡支持部材４００の下部の開口部４２２に連結することにより、空洞４５０及び管を経由して呼吸することができる。
【０１２４】
なお、管の内部に内容物を入れることにより、内容物から出る気体を使用者が吸い込んだり、開口部４２２から排出したりすることができるのは、第５の実施形態と同様である。
【０１２５】
また、図２２における空洞４５０は、眼鏡支持部材４００を腕部４１２に固定するための貫通孔４３４とは接続されておらず、空洞４５０の内部の気体は貫通孔４３４から輩出されない。しかしながら、空洞４５０と貫通孔４３４とが接続されていてもよい。
【０１２６】
以上、本実施形態に係る眼鏡は、眼鏡支持部材を有することにより、頬骨弓当接部と側頭部との接触面、頭頂骨支持部と頭頂骨との接触面、モダンと耳との接触面、以上３つの面で眼鏡の荷重を適切に分散させることができる。また、頭頂骨支持部により眼鏡を上から支持することができるため、左右両側面のみから頭部を挟持することにより眼鏡を支持する従来技術に比べ、頭部側面に与える負担を軽減することができる。
【０１２７】
付言すれば、頬骨体部付近まで支持部材が延伸する場合、顔の皮膚への負担を軽減すべく、支持部材を滑らかな形状とするなど、デザイン上の制限を余儀なくされる。頭部を挟持することにより眼鏡を支持するため、眼鏡がずり落ちないように支持部材に凹凸を加えれば、眼鏡を外した際に跡が残るだけでなく、不慮の際に顔の皮膚に傷がつく可能性がある。また、支持部材との接触箇所に汗をかくため、顔の皮膚への負担を考慮する必要がある。
【０１２８】
本実施形態に係る眼鏡は、頬骨弓当接部が目の近傍にまで延伸するものでないため、形状の自由度が増す。例えば、下方へずり落ちることを防ぐために頬骨弓当接部に凹凸を設けても、より目立たない箇所に頬骨弓当接部が位置するため、外観に与える影響は少ない。
【０１２９】
特に、本実施形態では、頬骨弓当接部が当接する箇所は、ヘアピン等を留める位置に近いため、髪飾り程度の大きさや太さを採用することもできる。汗をかいた場合でも、顔の皮膚に支持部材が当接する場合に比べ、外観に与える影響を低減することができる。
【０１３０】
以上、本発明に係る各実施形態及び変形例の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。
【符号の説明】
【０１３１】
１・２・３・４・８・９：眼鏡、１００・２００・３００・４００：眼鏡支持部材、１０１・２０１・３０１・４０１：頬骨弓当接部、１０２・２０２・３０２・４０２：頭頂骨支持部、１０３・４３４：貫通孔、１０４：突起、１１０・２１０・４１０：眼鏡本体部、１１１・４１１・８１１・９１１：フロント部、１１２・２１２・４１２・８１２・９１２：腕部、１１３・２１３・８１３・９１３：テンプル、１１４・２１４・３１４・８１４・９１４：モダン、１１５：凹部、２０３：連結部材、２０４・２０４Ａ・２０４Ｂ・２０４Ｃ：嵌合部分、２０５：凸部、２０６：覆い部、２０７Ａ：凹部、２１５Ａ・２１５Ｂ：凸部、２１６：アタッチメント、３２０：凹部、３２１：鉤状部材、３２２・４２２：孔、３２３：かえし、３２４：管、４３１：固定部材、４３２：スリット、４３３・４４０：当接部材、４３５：ネジ、４３６・４３８：ワッシャー、４３７：カバーパーツ、４３９：ナット、４４１：突起、４５０：空洞、４６０：装飾部材、ｄ：ドライアイス、ｅ・ｆ：取付け部分、ｒ：付属品
【図１】
2020034939.tif 000003
【図２】
2020034939.tif 000004
【図３】
2020034939.tif 000005
【図４】
2020034939.tif 000006
【図５】
2020034939.tif 000007
【図６】
2020034939.tif 000008
【図７】
2020034939.tif 000009
【図８】
2020034939.tif 000010
【図９】
2020034939.tif 000011
【図１０】
2020034939.tif 000012
【図１１】
2020034939.tif 000013
【図１２】
2020034939.tif 000014
【図１３】
2020034939.tif 000015
【図１４】
2020034939.tif 000016
【図１５】
2020034939.tif 000017
【図１６】
2020034939.tif 000018
【図１７】
2020034939.tif 000019
【図１８】
2020034939.tif 000020
【図１９】
2020034939.tif 000021
【図２０】
2020034939.tif 000022
【図２１】
2020034939.tif 000023
【図２２】
2020034939.tif 000024
【図２３】
2020034939.tif 000025